(57)【要約】【課題】表示データを入力する場合に、電源部に触れる恐れが無く、コストが安い表示装置を提供する。【解決手段】支持部１４と、複数の発光素子６が行列状に配置され、かつ前記支持部１４に支持された複数の表示部４，７〜１３と、前記表示部４，７〜１３に電源を供給する電源部３７と、前記表示部４，７〜１３に供給される表示データを入力するための入力部４４とを備え、前記入力部４４が位置する第１空間５０と前記電源部３７が位置する第２空間５１とを仕切る様に、前記支持部１４に対し、仕切り板３を設けた。【選択図】図３
2006039241.tif 000002
【特許請求の範囲】
【請求項１】
支持部と、複数の発光素子が行列状に配置され、かつ前記支持部に支持された複数の表示部と、前記表示部に電源を供給する電源部と、前記表示部に供給される表示データを入力するための入力部とを備え、前記入力部が位置する第１空間と前記電源部が位置する第２空間とを仕切る様に、前記支持部に対し、仕切り板を設けた事を特徴とする表示装置。
【請求項２】
前記仕切り板は高さ方向に位置する事により、前記第１空間と前記第２空間は、手前側と奥側に位置する事を特徴とする請求項１の表示装置。
【請求項３】
少なくとも、前記電源部と、前記入力部と、前記仕切り板と、前記支持部を覆う様に、かつ、前記入力部用の開口部を有しない様に、着脱可能なカバーを設けた事を特徴とする請求項１の表示装置。
【請求項４】
前記支持部は少なくとも第１取付板および第２取付板を有し、前記カバーは前記第１取付板および前記第２取付板に外接して固定され、前記仕切り板は前記第１取付板および前記第２取付板に内接して固定された事を特徴とする請求項３の表示装置。
【請求項５】
前記支持部は更に第１固定板および第２固定板を有し、前記表示部の１部は前記第１固定板および前記第２固定板の各一側に固定され、前記表示部の他部は前記第１固定板および前記第２固定板の各他側に固定された事を特徴とする請求項４の表示装置。
【請求項６】
複数の前記表示部は高さ方向に整列する様に、前記支持部に固定され、前記電源部と、前記入力部と、前記仕切り板と、前記カバーは共に前記表示部の下部に位置する様に、配置された事を特徴とする請求項３の表示装置。
【発明の詳細な説明】
【技術分野】
【０００１】
本発明は表示装置に関する。
【背景技術】
【０００２】
従来、この種の装置は例えば、特許文献１に示されている。この特許文献１によると、複数の発光素子が行列状に配置された複数の表示部と、表示部に電源を供給する電源部と表示部に供給される表示データを入力するための入力部が設けられている。そして、上記部品を覆う様に、カバーが設けられている。カバーの適所に開口部が設けられ、カードが前記開口部を介して、入力部に挿入できる様に設けられている。
【特許文献１】特開２０００−４７５８９号公報
【発明の開示】
【発明が解決しようとする課題】
【０００３】
上記表示装置では、電源部と入力部が同一空間に配置されているので、作業者が入力部に対し、所定の入力をする場合、誤って電源部に触れる恐れが有る、第１の欠点がある。更に、カードを挿入するために、カバーに開口部を設け、開閉可能な扉を設け、扉のロック機構を設けるので、コストが高くなる、第２の欠点がある。
【０００４】
そこで、本発明は、この様な従来の欠点を考慮して、入力する場合に、電源部に触れる恐れがなく、コストが安い表示装置を提供する。
【課題を解決するための手段】
【０００５】
上記課題を解決するために、請求項１の本発明では、支持部と、複数の発光素子が行列状に配置され、かつ前記支持部に支持された複数の表示部と、前記表示部に電源を供給する電源部と、前記表示部に供給される表示データを入力するための入力部とを備え、前記入力部が位置する第１空間と前記電源部が位置する第２空間とを仕切る様に、前記支持部に対し、仕切り板を設けた。
【０００６】
請求項２の本発明では、前記仕切り板は高さ方向に位置する事により、前記第１空間と前記第２空間は、手前側と奥側に位置する。
【０００７】
請求項３の本発明では、少なくとも、前記電源部と、前記入力部と、前記仕切り板と、前記支持部を覆う様に、かつ、前記入力部用の開口部を有しない様に、着脱可能なカバーを設けた。
【０００８】
請求項４の本発明では、前記支持部は少なくとも第１取付板および第２取付板を有し、前記カバーは前記第１取付板および前記第２取付板に外接して固定され、前記仕切り板は前記第１取付板および前記第２取付板に内接して固定された。
【０００９】
請求項５の本発明では、前記支持部は更に第１固定板および第２固定板を有し、前記表示部の１部は前記第１固定板および前記第２固定板の各一側に固定され、前記表示部の他部は前記第１固定板および前記第２固定板の各他側に固定された。
【００１０】
請求項６の本発明では、複数の前記表示部は高さ方向に整列する様に、前記支持部に固定され、前記電源部と、前記入力部と、前記仕切り板と、前記カバーは共に前記表示部の下部に位置する様に、配置された。
【発明の効果】
【００１１】
請求項１の本発明では、支持部と、複数の発光素子が行列状に配置され、かつ支持部に支持された複数の表示部と、表示部に電源を供給する電源部と、表示部に供給される表示データを入力するための入力部とを備え、入力部が位置する第１空間と電源部が位置する第２空間とを仕切る様に、支持部に対し、仕切り板を設けた。上記構成により、作業者が入力部に入力操作している時に、電源部は仕切り板を隔てた第２空間に位置しているので作業者が誤って、電源部に触れる恐れがない。
【００１２】
請求項２の本発明では、仕切り板は高さ方向に位置する事により、第１空間と第２空間は、手前側と奥側に位置する。この様に、入力部が存在する第１空間が手前に配置されるので、作業者は入力部に対し、入力操作がし易い。
【００１３】
請求項３の本発明では、少なくとも、電源部と、入力部と、仕切り板と、支持部を覆う様に、かつ、入力部用の開口部を有しない様に、着脱可能なカバーを設けた。この様に、カバーは入力部用の開口部を有しないので、従来の様に、サービス用の開閉可能な扉と、扉のロック機構等が不要となり、コストが安くなる。
【００１４】
請求項４の本発明では、支持部は少なくとも第１取付板および第２取付板を有し、カバーは第１取付板および第２取付板に外接して固定され、仕切り板は第１取付板および第２取付板に内接して固定された。上記構成により、第１取付板と第２取付板と仕切り板とカバーとからなる構造体は強固となると共に、仕切り板により、第１空間と第２空間を完全に仕切る事ができる。
【００１５】
請求項５の本発明では、支持部は更に第１固定板および第２固定板を有し、表示部の１部は第１固定板および第２固定板の各一側に固定され、表示部の他部は第１固定板および第２固定板の各他側に固定された。上記構成により、表示部の１部と、表示部の他部を確実に固定する事ができる。
【００１６】
請求項６の本発明では、複数の表示部は高さ方向に整列する様に、支持部に固定され、電源部と、入力部と、仕切り板と、カバーは共に表示部の下部に位置する様に、配置された。上記構成により、表示部は高い位置にあるので、観察者は容易に表示を見る事ができる。また、カバーは低い位置にあるので、作業者は入力操作を容易に行なう事ができる。
【発明を実施するための最良の形態】
【００１７】
以下に、図１ないし図６に従い、本発明を実施するための最良の形態に係る表示装置１を説明する。図１（ａ）は表示装置１の正面図、図１（ｂ）は表示装置１の左側面図、図２（ａ）は表示装置１の背面図、図２（ｂ）は表示装置１の右側面図である。図３は図１のＡ１Ａ２断面図である。図４は、カバー２を透視した時の、図３のＢから見た図面である。図５は、カバー２および仕切り板３を透視した時の、図３のＢから見た図面である。図６は、表示装置１のブロック図である。
【００１８】
これらの図において、表示部４は例えば、回路基板５と、発光素子６と、走査ドライバ４Ｓ（図示せず）と、信号ドライバ４Ｄ（図示せず）等から構成されている。
【００１９】
回路基板５の表面には、例えば、縦方向に５本の走査線が形成され、各走査線は、走査ドライバ４Ｓの各出力端子に接続されている。回路基板５の裏面には例えば、横方向に８本の信号線が形成され、各信号線は、信号ドライバ４Ｄの各出力端子に接続されている。
【００２０】
発光素子６は例えば、赤色発光ダイオードからなり、８行×５列の行列状に、複数個が配置されている。
【００２１】
例えば、第Ｎ列目（Ｎ＝１〜５）に存在する８個の発光素子６のアノードは共通して、第Ｎ列目の走査線に接続されている。第１行目、第Ｎ列目の発光素子６のカソードは、第１行目の信号線に接続されている。同様に、第Ｍ行目（Ｍ＝２〜８）、第Ｎ列目の発光素子６のカソードは各々、第Ｍ行目の信号線に接続されている。
【００２２】
この様にして、複数の発光素子６が行列状に配置された複数の表示部４，７，８，９，１０，１１，１２，１３が設けられている。表示部７〜１３は、表示部４と同一の構成である。
【００２３】
支持部１４は、少なくとも、第１取付板１５と、第２取付板１６と、第１固定板１７と第２固定板１８等から構成されている。
【００２４】
第１取付板１５は断面図から見れば（図３参照）、略逆コ字状をしており、高さ方向Ｃ１Ｃ２に長尺の形状をしている。第２取付板１６は断面図から見れば（図３参照）、略コ字状をしており、高さ方向Ｃ１Ｃ２に長尺の形状をしている。
【００２５】
第１固定板１７は断面図（図３参照）から見れば、略逆コ字状をしており、高さ方向Ｃ１Ｃ２に長尺の形状をしている。第１固定板１７は、第１取付板１５に比べ、内部側に位置している。
【００２６】
第２固定板１８は断面図（図３参照）から見れば、略コ字状をしており、高さ方向Ｃ１Ｃ２に長尺の形状をしている。第２固定板１８は、第２取付板１６に比べ、内部側に位置している。
【００２７】
下部基台１９は、略箱状の形状をしている（図４参照）。第１固定板１７の下部に設けられた折曲部は、下部基台１９の上面に当接され、両者はネジにより締結されている。
【００２８】
第２固定板１８の下部に設けられた折曲部は、下部基台１９の上面に当接され、両者はネジにより締結されている。下部カバー２０は略箱状に形成され、下部基台１９を覆う様に設けられている。
【００２９】
同様に、上部基台（図示せず）は、略箱状の形状をしている。第１固定板１７の上部に設けられた折曲部は、上部基台の下面に当接され、両者はネジにより締結されている。
【００３０】
第２固定板１８の上部に設けられた折曲部は、上部基台の下面に当接され、両者はネジにより締結されている。上部カバー２１は略箱状に形成され、上部基台を覆う様に設けられている。
【００３１】
上記第１固定板１７と、第２固定板１８と、下部基台１９と、上部基台とにより、略箱体が形成され、この表示装置１の基本構造が構築されている。
【００３２】
表示部４，７，８，９を構成する各回路基板の一側は、第１固定板１７の一側に設けられた折曲部に当接され、ネジにより固定されている（図１と図３を参照）。
【００３３】
表示部４，７，８，９を構成する各回路基板の他側は、第２固定板１８の一側に設けられた折曲部に当接され、ネジにより固定されている（図１と図３を参照）。
【００３４】
表示部１０，１１，１２，１３を構成する各回路基板の一側は、第１固定板１７の他側に設けられた折曲部に当接され、ネジにより固定されている（図１と図３を参照）。
【００３５】
表示部１０，１１，１２，１３を構成する各回路基板の他側は、第２固定板１８の他側に設けられた折曲部に当接され、ネジにより固定されている（図１と図３を参照）。
【００３６】
透明板２２は例えば、アクリル樹脂等の透明な材質からなり、角が丸みを持った略角筒状に形成されている。透明板２２は、表示部４，７，８，９，１０，１１，１２，１３を覆う様に、配置されている。
【００３７】
ボルト２３，２４，２５，２６，２７は、透明板２２の左側面に形成された孔を貫通し第１取付板１５の平面に形成されたネジ孔に締結されている。また、ボルト２３，２４，２５，２６，２７の先端近傍は、第１固定板１７の平面に形成されたネジ孔に締結されている（図１と図２を参照）。
【００３８】
ボルト２８，２９，３０，３１，３２は、透明板２２の右側面に形成された孔を貫通し第２取付板１６の平面に形成されたネジ孔に締結されている。また、ボルト２８，２９，３０，３１，３２の先端近傍は、第２固定板１８の平面に形成されたネジ孔に締結されている（図１と図２を参照）。
【００３９】
上記第１取付板１５と、第２取付板１６と、第１固定板１７と、第２固定板１８と、下部基台１９と、上部基台と、ボルト２３〜３２等により、支持部１４は構成されている。
【００４０】
この様に、表示部４，７，８，９，１０，１１，１２，１３は支持部１４に支持されている。また、上述した様に、支持部１４は第１固定板１７および第２固定板１８を有している。
【００４１】
そして、表示部の１部４，７，８，９は、第１固定板１７および第２固定板１８の各々の一側に固定されている。表示部の他部１０，１１，１２，１３は、第１固定板１７および第２固定板１８の各々の他側に固定されている。
【００４２】
次に、主に図６に従い、表示装置１の電気的構成を説明する。図６において、電源プラグ３３の入力側は、電源コンセント（例えば、交流１００ボルト）に挿入される。
【００４３】
電源プラグ３３の出力側は、電源コード３４を介して、フィルター回路３５の入力側に接続されている。フィルター回路３５の出力側は、スイッチング回路３６の入力側に接続されている。
【００４４】
フィルター回路３５は、入力された交流１００ボルトのノイズをフィルターするものである。これらのフィルター回路３５とスイッチング回路３６とにより、電源部３７が構成されている。電源部３７は、交流１００ボルトが入力されると、所定の電圧（例えば、直流５ボルト）に設定された直流電圧を供給するものである。
【００４５】
電源部３７の１方の出力電圧は分岐部３８を介して、表示部４，７，８，９へ供給される。電源部３７の他方の出力電圧は分岐部３９を介して、表示部１０，１１，１２，１３へ供給される。
【００４６】
分岐部３８の出力電圧は、制御部４０へ供給される。制御部４０は例えば、点灯制御回路と、ＣＰＵと、ＲＯＭと、フォントＲＯＭと、ＲＡＭ（いずれも図示せず）等からなる。
【００４７】
点灯制御回路の入力側はＣＰＵに接続され、第１の出力側は、表示部４，７，８，９に設けられた走査ドライバ４Ｓ，７Ｓ，８Ｓ，９Ｓと、信号ドライバ４Ｄ，７Ｄ，８Ｄ，９Ｄに接続されている。
【００４８】
点灯制御回路の第２の出力側は、表示部１０，１１，１２，１３に設けられた走査ドライバ１０Ｓ，１１Ｓ，１２Ｓ，１３Ｓと、信号ドライバ１０Ｄ，１１Ｄ，１２Ｄ，１３Ｄに接続されている。
【００４９】
点灯制御回路は走査ドライバ４Ｓ〜１３Ｓに対し各々、スキャン信号Ｓを出力する。点灯制御回路は、入力された表示データＤを、表示データＤ１〜Ｄ８に分割する。点灯制御回路は信号ドライバ４Ｄ〜１３Ｄに対し各々、表示データＤ１〜Ｄ８を出力し、かつ、クロック信号Ｃと、ラッチ信号Ｌ等を出力する。
【００５０】
ＣＰＵは、点灯制御回路と、ＲＯＭと、フォントＲＯＭと、ＲＡＭ等を制御する。ＲＯＭはＣＰＵの制御プログラム等を記憶している。フォントＲＯＭは文字データを記憶している。ＲＡＭは例えば、表示装置１に表示すべき表示データを記憶している。
【００５１】
カード４１は例えば、表示装置１に表示すべき表示データが書き込まれている。読取部４２は、挿入されたカード４１に書き込まれた表示データを読み取り、制御部４０へ出力するものである。
【００５２】
センサー４３は、リモコン（図示せず）から放射された赤外線を検知し、読取部４２へ出力するものである。これらのカード４１と、読取部４２と、センサー４３等により、入力部４４は構成されている。上記部品により、この表示装置１の電気的構成はなされている。
【００５３】
上述した様に、表示部４，７，８，９，１０，１１，１２，１３に対し、電源を供給する電源部３７が設けられている。そして、表示部４〜１３に供給される表示データを入力するための入力部４４が設けられている。
【００５４】
仕切り板３は断面図から見れば（図３参照）、略逆凹状に形成され、正面図から見れば（図４参照）、略長方形状に形成されている。仕切り板３の左側の折曲部は第１取付板１５に内接し、両者はネジにより固定されている。カバー２は、上カバー４５と、下カバー４６とからなる。
【００５５】
上カバー４５は、略逆凹状に形成され、上カバー４５の左側部は、第１取付板１５の外側の当接（即ち、第１取付板１５に外接）している。上記左側部と第１取付板１５は、ネジにより固定されている（図３参照）。
【００５６】
上カバー４５の右側部は、第２取付板１６の外側の当接（即ち、第２取付板１６に外接）している。上記右側部と第２取付板１６は、ネジにより固定されている（図３参照）。
【００５７】
下カバー４６は、略凹状に形成され、下カバー４６の左側部は、第１取付板１５に外接している。上記左側部と第１取付板１５は、ネジにより固定されている（図３参照）。
【００５８】
下カバー４６の右側部は、第２取付板１６に外接している。上記右側部と第２取付板１６は、ネジにより固定されている（図３参照）。
【００５９】
上記内容をまとめる。支持部１４は少なくとも、第１取付板１５および第２取付板１６を有している。カバー２は、第１取付板１５および第２取付板１６に外接して固定されている。仕切り板３は、第１取付板１５および第２取付板１６に内接して固定されている。
【００６０】
図３に示す様に、固定板４７はスペーサ４８を介して、仕切り板３の一側の上に配置され、ネジ（図示せず）により固定されている。読取部４２およびセンサー４３は、ネジ（図示せず）により、固定板４７に固定されている。
【００６１】
図４に示す様に、制御部４０を構成する回路基板は、スペーサ（図示せず）を介して、仕切り板３の一側の上に配置され、ネジにより、仕切り板３に固定されている。
【００６２】
図３および図５に示す様に、フィルター回路３５およびスイッチング回路３６は各々、仕切り板３の他側の上に配置され、ネジ（図示せず）により、仕切り板３に固定されている。
【００６３】
上カバー４５の左側面および下カバー４６の左側面の適所に孔が形成されている。第１取付板１５の適所に孔が形成されている。
【００６４】
固定具４９は、上カバー４５の孔および下カバー４６の孔を貫通し、第１取付板１５に形成された上記孔にて固定されている。電源コード３４は、固定具４９に形成された孔を貫通し、かつ固定具４９にて固定されている。
【００６５】
この様にして、固定具４９から突出した電源コード３４の先端は、フィルター回路３５の入力側に接続されている。
【００６６】
仕切り板３と、第１取付板１５の上部と、上カバー４５と、第２取付板１６の上部とにより、第１空間５０が構成されている（図３参照）。上述した様に、読取部４２とセンサー４３等からなる入力部４４は、第１空間５０に位置する。
【００６７】
また、仕切り板３と、第１取付板１５の下部と、下カバー４６と、第２取付板１６の上部とにより、第２空間５１が構成されている。上述した様に、フィルター回路３５とスイッチング回路３６とからなる電源部３７は、第２空間５１に位置する。
【００６８】
上記内容をまとめる。入力部４４が位置する第１空間５０と、電源部３７が位置する第２空間５１とを仕切る様に、支持部１４に対して、仕切り板３が設けられている。
【００６９】
仕切り板３は高さ方向Ｃ１Ｃ２に位置する事により、第１空間５０と第２空間５１は、各々、手前側（Ｄ方向）と、奥側（Ｅ方向）に位置する。なお、作業者が作業し易い側面を手前側と呼び、作業しにくい側面を奥側と呼ぶ。
【００７０】
また、上述した様に、少なくとも、電源部３７と、入力部４４と、仕切り板３とが設けられている。そして、支持部１４を覆う様に、かつ、入力部４４の開口部を有しない様に着脱可能なカバー２が設けられている。
【００７１】
更に、複数の表示部４，７，８，９，１０，１１，１２，１３は高さ方向Ｃ１Ｃ２に整列する様に、上記表示部は支持部１４に固定されている（図１参照）。そして、電源部３７と、入力部４４と、仕切り板３と、カバー２は共に、上記表示部４〜１３の下部に位置する様に、配置されている（図１参照）。
【００７２】
なお、上記説明と異なり、発光素子として例えば、赤色発光ダイオードと、緑色発光ダイオードと、青色発光ダイオードが１組になったものを１ドットとして、このドットが行列状に複数個並んだ表示部を構成しても良い。また、スタティツク駆動方式でも良い。
【００７３】
次に、図１ないし図６に従い、この表示装置１の動作を説明する。例えば、作業者は既に設置してある表示装置１の表示データを変更する例を述べる。
【００７４】
最初に、作業者は、上カバー４５を取り付けているネジ１０本を外し、上カバー４５を外す。そして、作業者は、リモコン（図示せず）に設けられた「転送ボタン」を押すと、制御部４０は転送モードに入る。
【００７５】
次に、作業者は、第１空間５０に位置する読取部４２の中に、カード４１を挿入する。読取部４２はカード４１を読み取り、制御部４０に対し、新しい表示データを転送する。
【００７６】
そして制御部は、ＲＯＭ又はＲＡＭに、新しい表示データを上書き保存させる。これにより、制御部４０は表示部４〜１３に対し、新しい表示データにて表示させる。
【００７７】
この様に、作業者がリモコンを操作したり、カード４１を挿入している時に、電源部３７は仕切り板３を隔てた第２空間５１に位置しているので、電源部３７に接触する恐れが無い。
【図面の簡単な説明】
【００７８】
【図１】図１（ａ）は、本発明を実施するための最良の形態に係る表示装置１の正面図、図１（ｂ）は、表示装置１の左側面図である。
【図２】図２（ａ）は、本発明を実施するための最良の形態に係る表示装置１の背面図、図１（ｂ）は、表示装置１の右側面図である。
【図３】図１のＡ１Ａ２断面図である。
【図４】カバー２を透視した時の、図３のＢから見た図面である。
【図５】カバー２および仕切り板３を透視した時の、図３のＢから見た図面である。
【図６】表示装置１のブロック図である。
【符号の説明】
【００７９】
３  仕切り板
４，７〜１３  表示部
１４  支持部
３７  電源部
４４  入力部
５０  第１空間
５１  第２空間
【図１】
2006039241.tif 000003
【図２】
2006039241.tif 000004
【図３】
2006039241.tif 000005
【図４】
2006039241.tif 000006
【図５】
2006039241.tif 000007
【図６】
2006039241.tif 000008